(57)【要約】【課題】身体を冷却するファンを取り付けることができ、ファンより取り込まれた外部の空気を衣服内を介して、腋の下を効率よく冷やすことができるベストを提供する。【解決手段】ベスト１は、後身頃の下部に身体を冷却するファンを取り付けることができる。袖ぐり部４を一周するアームホールを伸縮性のある環状部材９で構成する。袖ぐり部４の下方に内部の空気を外部に排出するメッシュ生地からなる排出部８が設けられる。袖ぐり部４の下方の除き環状部材９が接続する身頃生地２、３が空気を通さない生地であり、排出部８を取り囲む身頃生地２、３、７、７ａも空気を通さない生地である。メッシュ生地は、１ｍｍ乃至１０ｍｍの開口を複数有している。【選択図】  図２
2020084384.tif 000002
【特許請求の範囲】
【請求項１】
後身頃の下部に身体を冷却するファンを取り付けることができるベストであって、袖ぐり部を一周するアームホールを伸縮性のある環状部材で構成し、袖ぐり部の下方に内部から外部に空気を排出する排出部を設け、前記環状部材の周囲は前記排出部を除き身頃生地が空気を通さない生地であり、前記排出部には大きさが１ｍｍ乃至１０ｍｍの複数の開口が設けられていることを特徴とするベスト。
【請求項２】
請求項１のベストにおいて、前記排出部はメッシュ生地からなることを特徴とするベスト。
【発明の詳細な説明】
【技術分野】
【０００１】
本発明は、身体を冷却するファンを取り付けることができるベストに関するものである。
【背景技術】
【０００２】
作業員を保護する熱中症対策の一つとして最近はファン付上着が利用されている。ファン付上着はファンを取り付けて、衣服内に空気を流通させることにより、身体を冷却するもので、ファンより取り込まれた外部の空気は、衣服内側を介して襟や袖口などの開口部から排出される。例えば、特許文献１においては、袖のないベストが開示されている。このベストは、袖ぐり（アームホール）から大量の空気が流出することを防止するため、腕を通す袖口部の全周にゴムが内蔵されている。袖口部の周囲には開口が袖口部よりも広い大径袖口部が設けられ、袖口部と大径袖口部は一部が重なって構成されており、美感を向上させている。袖口部は、ゴムの弾性力によって縮径し、着用者が衣服を着用した時に袖口部は着用者の腕に密着する（特許文献１参照）。
【先行技術文献】
【特許文献】
【０００３】
【特許文献１】特開２０１８−３２２７号公報
【発明の概要】
【発明が解決しようとする課題】
【０００４】
特許文献１において、両肩の内側には、前身頃と後身頃とに跨るように通気性に優れたダブルラッセルメッシュが設けられ、前身頃と後身頃との間を空気が行き来でき、衣服本体の内側の空間内に満遍なく空気を行き渡らせることができるようになっている。しかし、人体の肩の上側に設けられたダブルラッセルメッシュにより、前身頃と後身頃との間の空気の行き来が出来たとしても、空気は衿口の開口に向けて流れるだけである。
本発明は、腋の下を効率よく冷やすことができるベストを提供することを目的とする。
【課題を解決するための手段】
【０００５】
上記目的を達成するために、本発明のベストは、後身頃の下部に身体を冷却するファンを取り付けることができるベストであって、袖ぐり部を一周するアームホールを伸縮性のある環状部材９で構成し、袖ぐり部の下方に内部から外部に空気を排出する排出部を設け、前記環状部材の周囲は前記排出部を除き身頃生地が空気を通さない生地であり、前記排出部には大きさが１ｍｍ乃至１０ｍｍの複数の開口が設けられていることを特徴とする。
【発明の効果】
【０００６】
この発明によれば、袖ぐりを伸縮性のある素材で構成しているため、着用者の腕に袖ぐり部を密着させることができ、袖ぐり部から空気が出ることなく、袖ぐり部の下方の身頃生地に設けたメッシュ生地からなる排出部から空気を出すことができる。排出部から空気が出ることにより腋の下を効率よく冷やすことができる。
【図面の簡単な説明】
【０００７】
【図１】本発明に係るベストを示し、図１Ａは正面図、図１Ｂは背面図である。
【図２】ベストの腋部分を拡げた状態の部分説明図である。
【図３】他の実施例を示す図である。
【発明を実施するための形態】
【０００８】
体温を下げるには、体表近くに太い静脈がある場所を冷やすのが最も効果的である。大量の血液がゆっくり体内に戻っていく場所であるからである。前頸部の両脇、腋の下、足の付け根の前面（鼠蹊部）などが該当する。本発明では、腋の下の太い血管が通っている箇所を冷やすと効率的に体温を冷やす。
【実施例１】
【０００９】
以下、本発明に係るベストの一実施の形態について、図面に基づいて説明する。
図１は本発明に係るベストの正面図で、図２は背面図である。ベスト１は、前身頃２、後身頃３、袖ぐり部４、襟５を有し、前身頃２は前面を開閉できるファスナーが備えられている。後身頃３の下部の左右には、ファンを取り付ける空気取り込み口６が開口されている（図では２箇所）。ベスト１は、ファンを取り付けて、衣服内に空気を流通させることにより、身体を冷却するもので、ファンより取り込まれた外部の空気は、衣服内側を介して襟５から排出される。
【００１０】
ベスト１においては、さらに、空気の排出部８が袖ぐり部４の下方に設けられている。袖ぐり部４は、アームホールの全周から空気が出ないようにされている。具体的には、袖ぐり部４は、アームホールにそって一周する伸縮性の環状部材９を有しており、環状部材９は前身頃２と後身頃３に接続（縫製若しくは接着）されている。伸縮性の環状部材９を使用していることにより、袖ぐり部４の開口全周が伸縮し、着用者の腕を通すと腕に密着して袖ぐり部４から空気が排出されるのを防止している。環状部材９は、一周にわたり伸縮性を有しなくても良く、例えばゴム紐と伸縮しない紐とで作製されても良い。袖ぐり部４の下方を除いて、袖ぐり部４の隙間から空気が漏れないようにすれば良いのである。
【００１１】
また、環状部材９としては、伸縮性のテープを用いても良い。または、伸縮しない生地でアームホールを一周するパイプを作り袖ぐり部に縫合し、パイプの内部にゴムを通しても良い。また、パイプの中に紐を通して、紐の長さを調整することにより、アームホールの大きさを調節して着用者の腕に密着させることもできる。なお、１０は前見頃２と後身頃３を肩の位置でつなぐ切り替え布であり、肩の立体感を持たせるために使用されており、必須ではない。
【００１２】
図２は、ベスト１の脇部分を拡げた状態の部分説明図である。排出部８は、袖ぐり部４の下方に前身頃２と後身頃３とは別素材で構成され、環状部材９に接続（縫製若しくは接着）されている。排出部８は、脇身頃７の上部がメッシュ生地に切り替えられて作製されたものである。排出部８の面積は限定的であって、周囲は空気を通さない身頃生地（前身頃２、後身頃３、脇身頃７、切り替え布１０）に囲まれて接続している。メッシュ生地としては、開口を横切る長い線分の長さが１ｍｍ乃至１０ｍｍの範囲になる複数の開口が配列された生地を用いる。実施例においては、規則的な多数の円形状の開口が配列され、その開口の直径が２ｍｍ程度になっている生地を用いた。排出部８の細かな開口から空気が出ることにより、腋の下が効率よく冷やされる。
【００１３】
脇身頃７を設けずに、前身頃２と後身頃３でベスト１を作製する場合には、袖ぐり部４の下方であって、環状部材９と前身頃２と後身頃３の間にこの排出部８は設けられる。前身頃２と後身頃３若しくは脇身頃７、切り替え布１０の身頃生地は空気を通さない（通しにくいものを含む）生地で作製することが、排出部へ空気の流れを集中させるのに望ましい。
【００１４】
本実施例によれば、アームホールを伸縮性のある環状部材９で構成しているため、着用者の腕に袖ぐり部を密着させることができ、袖ぐり部から空気が出ることなく、袖ぐり部の下方の身頃生地に設けたメッシュ生地からなる排出部からベスト１の内部の空気を外部に出すことができる。腋の下の太い血管が通っている箇所を冷やすと効率的に体温を冷やすことができる。
【実施例２】
【００１５】
第１の実施例のベスト１は、袖ぐり部を一周するアームホールを伸縮性のある環状部材９で構成し、袖ぐり部の下方にメッシュ生地からなる排出部８を接続していたが、本実施例においては、メッシュ生地からなる排出部８を環状部材９に直接接続せずに、空気を通しにくい生地を挟んでも良い。図３Ａは、小さい巾の脇身頃７ａを挟んで排出部８が環状部材９に接続している。メッシュ生地からなる排出部８を伸縮力のある環状部材９に直接縫合することがないので、作りやすいという利点がある。
【実施例３】
【００１６】
上記実施例においては、排出部８としてメッシュ生地を用いたが、排出部８を袖ぐり部の下方の見頃生地に設けても良い。図３Ｂにおいては、脇身頃７に排出部８を設けている。脇身頃７は空気を通しにくい生地であるが、これに複数の開口を設けて排出部８を形成する。個々の開口は、例えば１ｍｍ乃至１０ｍｍの開口を持つアイレット８ａを用いて作製することができる。脇身頃７を用いずに、前見頃と後身頃で袖ぐり部の下方を形成する場合には、袖ぐり部の下方に位置する前見頃若しくは後身頃の見頃生地に複数の開口を設けて排出部８を形成しても良い。
【符号の説明】
【００１７】
１    ベスト
２    前身頃
３    後身頃
４    袖ぐり部
５    襟
６    空気取り込み口
７、７ａ    脇身頃
８    排出部
８ａ  アイレット
９    環状部材
１０  切り替え布
【図１】
2020084384.tif 000003
【図２】
2020084384.tif 000004
【図３】
2020084384.tif 000005